(57)【要約】【課題】  シンプルな構造、低コストで、出寸法を正確に設定することができ、かつ釘の部分を露出せず施工後に外観上見栄えのよい竪樋用控金具を提供する。【解決手段】  本願発明の竪樋用控金具１１は、竪樋の周囲を把持する竪樋把持部１２と、杆固定具２０を挿通させて支持する杆支持部１３を備え、杆固定具２０を杆支持部１３を介して壁面Ｗに打ち込んで固定を行うものであり、軸回りの方向の特定の回転位置によって軸方向に垂直な断面形状が異なる出寸法調整部材１４を別体として有する。杆支持部１３の壁面Ｗ側には出寸法調整部材挿入空間２３が形成されている。出寸法調整部材１４の出寸法調整部材挿入空間２３への挿入は、軸回りの回転角度位置に応じて、第１および第２の挿入規制部２５、２８により規制され、出寸法が調整される。【選択図】図１
2006265968.tif 000002
【特許請求の範囲】
【請求項１】
竪樋の周囲を把持する竪樋把持部と、竪樋把持部の一側から壁面側に突出して設けられ、杆固定具を挿通させて支持する杆支持部を備え、杆固定具を杆支持部を介して壁面に打ち込んで固定を行う竪樋用控金具において、杆固定具を挿通させ且つ軸回りの方向の特定の回転位置によって軸方向に垂直な断面形状が異なる出寸法調整部材を別体として有するとともに、杆支持部の壁面側には出寸法調整部材挿入空間が形成され、かつ出寸法調整部材を出寸法調整部材挿入空間に挿入したときに、出寸法調整部材の軸回りの方向の回転位置に応じて異なる軸方向位置で出寸法調整部材の挿入を規制する規制部が形成されていることを特徴とする竪樋用控金具。
【発明の詳細な説明】
【技術分野】
【０００１】
本願発明は、竪樋を建物等の壁面に固定支持するための竪樋用控金具に関するものである。
【背景技術】
【０００２】
従来より、住宅やビルなどの建物等の壁面に沿って竪樋を取り付けるために竪樋用控金具が使用されている。従来の竪樋用控金具は、通常、竪樋を把持する把持部と、把持部を壁面に取付固定するための取付部を有し、様々な取付方法により壁面への取付固定を行うようになっている。
【０００３】
また、このような竪樋用控金具において、把持部と壁面との間隔（出寸法）を所定長さに調節することが行われている。例えば特許文献１には、取付部を、木ねじ等の固定具を挿通させて支持する杆支持部で形成し、その壁面側端部にねじ部分を形成した出入り調整部材を設け、この出入り調整部材をねじ回して軸方向に前後させることにより出寸法を調整する技術が記載されている。
【０００４】
ところが、特許文献１のような出寸法の調整手法では、複雑な構造の出入り調整部材を設けて出寸法の調整を行うため、竪樋用控金具の構造を複雑化させるのみならず、コストの向上を招いてしまう。
【０００５】
このような事情のもとで、シンプルな構造、低コストで出寸法を調整する手法として、竪樋把持部と、釘等の固定具を挿通させて支持する杆支持部（取付部）を備え、竪樋把持部側から、打ち込みの出寸法を示す目印が付けられた釘をその目印を目安に打ち込んで、竪樋用控金具を壁面へ固定することが行われている。
【特許文献１】特開２０００−２５７２２５号公報
【発明の開示】
【発明が解決しようとする課題】
【０００６】
しかしながら、上記の釘に付けた目印を目安に取付部を介して釘を打ち込んで、出寸法を調整しながら竪樋用控金具を壁面に固定する手法では、出寸法を正確に設定することが難しく、また釘の部分が露出して見栄えが悪く、見栄えを良くするためには着色を施すことも考えられるが、コストアップにつながるという問題があった。
【０００７】
本願発明は、以上のとおりの事情に鑑みてなされたもので、シンプルな構造、低コストで、出寸法を正確に設定することができ、かつ釘の部分を露出せず施工後に外観上見栄えのよい竪樋用控金具を提供することを課題とする。
【課題を解決するための手段】
【０００８】
本願発明の竪樋用控金具は、上記課題を解決するため、竪樋の周囲を把持する竪樋把持部と、竪樋把持部の一側から壁面側に突出して設けられ、杆固定具を挿通させて支持する杆支持部を備え、杆固定具を杆支持部を介して壁面に打ち込んで固定を行う竪樋用控金具において、杆固定具を挿通させ且つ軸回りの方向の特定の回転位置によって軸方向に垂直な断面形状が異なる出寸法調整部材を別体として有するとともに、杆支持部の壁面側には出寸法調整部材挿入空間が形成され、かつ出寸法調整部材を出寸法調整部材挿入空間に挿入したときに、出寸法調整部材の軸回りの方向の回転位置に応じて異なる軸方向位置で出寸法調整部材の挿入を規制する規制部が形成されていることを特徴とする。
【発明の効果】
【０００９】
本願発明によれば、軸回りの方向の特定の回転位置によって軸方向に垂直な断面形状が異なる出寸法調整部材を用い、出寸法調整部材をその軸回りの方向の回転位置を異ならせて出寸法調整部材挿入空間に挿入することにより、出寸法調整部材の軸方向の挿入位置、すなわち突出長さが変わり、１種類の出寸法調整部材で数パターンの正確な出寸法の調整ができるようになる。そしてこの出寸法の調整はシンプルな構成で低コストで行える上、出寸法調整部材で釘等の杆固定具が隠れるため、側面から見ても違和感がなく、施工後の外観がよくなり、さらに釘等の杆固定具に着色をする必要がないため、コストダウンにもなる。
【発明を実施するための最良の形態】
【００１０】
本願発明は上記のとおりの特徴をもつものであるが、以下にその実施の形態について説明する。
【００１１】
図１は、本願発明による竪樋用控金具の一実施形態を示す図で、（ａ）が平面図、（ｂ）が側面図、（ｃ）が（ａ）のＡ−Ａ線断面図、（ｄ）が（ｂ）のＢ−Ｂ線断面図、（ｅ）が（ｂ）のＣ−Ｃ線断面図である。図２は、本実施形態の竪樋用控金具に用いる出寸法調整部材を示す図で、（ａ）が側面図、(ｂ)が竪樋把持部側から見た図である。
【００１２】
本実施形態の竪樋用控金具１１は、竪樋把持部１２と、杆支持部１３と、これらと別体である出寸法調整部材１４を有し、アルミニウム、ステンレス鋼等の金属や合成樹脂などを用いて構成される。
【００１３】
竪樋把持部１２は、その周方向の形状が竪樋（図示せず）の周囲を囲む形状に形成されており、高さ方向の幅は一定となっている。竪樋把持部１２は、ハーフリング状部１２Ａと１２Ｂを有し、全体として略リング状をなしている。ハーフリング状部１２Ａの一方の端部１５Ａとハーフリング状部１２Ｂの一方の端部１５Ｂは枢着軸１７により枢着されている。また、ハーフリング状部１２Ａの他方の端部１６Ａには係合孔１８が形成され、ハーフリング状部１２Ｂの他方の端部１６Ｂには係合突起部１９が形成されており、係合突起部１９が係合孔１８に係合可能になっている。
【００１４】
竪樋把持部１２の壁面Ｗ側には杆支持部１３が一体に突出形成されている。杆支持部１３は外形断面形状が正方形であり、その軸方向中心には、釘からなる杆固定具２０を挿通させるための挿通孔２１が形成されている。釘からなる杆固定具２０としては、所要長さの通常の釘を用いてもよいし、打ち込み深さを示す目印を付けた釘を用いてもよい。また、杆支持部１３の壁面Ｗ側は、出寸法調整部材１４の一部を挿入するための出寸法調整部材挿入部２２となっており、出寸法調整部材挿入部２２の内側には、図１（ｃ）に示すような出寸法調整部材挿入空間２３が形成されている。
【００１５】
出寸法調整部材挿入部２２においては、図１（ｂ）のＢ−Ｂ線断面図である図１（ｄ）と、図１（ｃ）に示すように、入口２４から第１の挿入規制部２５の挿入規制面２５’の所までは、４つの壁部２６ａ、２６ｂ、２６ｃ、２６ｄにより、断面が正方形の第１の挿入空間２７が形成されている。また、図１（ｂ）のＣ−Ｃ線断面図である図１（ｅ）と、図１（ｃ）に示すように、第１の挿入規制部２５の挿入規制面２５’から第２の挿入規制部２８の挿入規制面２８’の所までは、第１の挿入規制部２５の断面形状が右上隅部分に三角形状にせり出しており、正方形の右上隅部分が切り欠かれた五角形状の断面を有する第２の挿入空間２９が形成されている。
【００１６】
一方、出寸法調整部材１４は軸方向が所定の長さになっており、軸方向中心に杆固定具２０を挿通させる挿通孔３０を有している。また、出寸法調整部材１４は、軸方向に垂直な外形断面形状が第２の挿入空間２９の断面形状と相補的な形状、すなわち正方形の左上隅部分が切り欠かれた五角形状となっており、斜面部３１が形成されている。３２は挿入先端面である。
【００１７】
本実施形態の竪樋用控金具１１を施工する場合、まず、図示しない竪樋と壁面Ｗとの間隔により、出寸法を設定する。本実施形態の場合、出寸法は、出寸法調整部材１４を第１の挿入規制部２５の挿入規制面２５’の所まで挿入させる第１の出寸法と、出寸法調整部材１４を第２の挿入規制部２８の挿入規制面２８’の所まで挿入させる第２の出寸法の２通りとすることができる。
【００１８】
例えば、出寸法調整部材１４を第１の挿入規制部２５の挿入規制面２５’の所まで挿入させる第１の出寸法とする場合には、出寸法調整部材１４の挿入先端面３２が第１の挿入規制部２５の挿入規制面２５’に当接するように、出寸法調整部材１４を軸方向に回転させて出寸法調整部材挿入部２２の入口２４から挿入する。この場合、挿入先端面３２は図３（ａ）に示すようになる。このようにすると、出寸法調整部材１４は第１の挿入規制部２５の挿入規制面２５’に当接しその位置までしか入らない。そして、竪樋用控金具１１の竪樋把持部１２のハーフリング状部１２Ｂを開放した状態にして、竪樋側より、釘からなる杆固定具２０を杆支持部１３の挿通孔２１と出寸法調整部材１４の挿通孔３０を挿通させて、壁面Ｗに打ち込み、竪樋用控金具１１を壁面Ｗに固定する。その後、竪樋用控金具１１を竪樋の周囲に装着した後、ハーフリング状部１２Ａの係合孔１８にハーフリング状部１２Ｂの係合突起部１９を係合させて竪樋を把持させる。
【００１９】
また、出寸法調整部材１４を第２の挿入規制部２８の挿入規制面２８’の所まで挿入させる第２の出寸法とする場合には、出寸法調整部材１４の挿入先端面３２が第１の挿入規制部２５の挿入規制面２５’には当接しないでさらに奥まで挿入し、第２の挿入規制部２８の挿入規制面２８’に当接するように出寸法調整部材１４を出寸法調整部材挿入部２２の入口２４から挿入する。そのためには、出寸法調整部材１４を図３（ａ）の軸回りの回転位置から９０度ほど半時計回りに回転させて、挿入する。この場合、挿入先端面３２は図３（ｂ）に示すようになる。このようにすると、出寸法調整部材１４は第２の挿入規制部２８の挿入規制面２８’の位置まで入る。従って、出寸法としては上記の場合より小さい寸法となる。その後は上記の場合と同様にして、釘からなる杆固定具２０の打ち込み、竪樋用控金具１１の壁Ｗへの固定、竪樋の把持を行う。
【００２０】
本実施形態によれば、出寸法調整部材１４の挿入規制位置に応じて容易にかつ正確に出寸法を設定することが可能となる。また、釘からなる杆固定具２０は出寸法調整部材１４により隠れ、外側から見えないため、外観上見栄えがよいものとなる。さらに、釘からなる杆固定具２０に着色を施す必要がないため、コストダウンにつながる。
【００２１】
以上、本願発明を一実施形態により説明したが、本願発明は、上記実施形態に限定されず、種々の変形、変更が可能である。
【００２２】
例えば、上記実施形態では、杆支持部１３の外形断面形状を正方形としたが、本願発明によれば、長方形、六角形、円形、楕円形等の各種形状とすることができる。
【００２３】
また、上記実施形態では、出寸法調整部材１４の外形断面形状を正方形の一つの隅部が斜めに切り取られた形状とし、第２の挿入空間２９の断面形状をそれと相補的な形状としたが、本願発明によれば、出寸法調整部材１４の外形断面形状は長方形、六角形、円形、楕円形等の各種図形形状としてもよく、また図４（ａ）、（ｂ）に示すようなＬ字形状や、十字形状としてもよい。この場合、出寸法調整部材挿入空間は、出寸法調整部材の形状を考慮して、２以上の規制位置において出寸法を設定できるように挿入規制面が形成されるようにする。
【００２４】
また、上記実施形態では、杆固定具２０として釘を用いたが、本願発明では、これに限定されるものではなく、木ねじ等の別の固定具を使用してもよい。
【００２５】
また、上記実施形態では、竪樋用控金具１１を竪丸樋用のものとしたが、本願発明によれば、竪角樋用のものとすることもできる。
【００２６】
さらに、上記実施形態では、竪樋用控金具１１の竪樋把持部１２が竪樋の全周を把持するようにしたが、本願発明によれば、確実な把持が行うことができれば、周方向に部分的に把持するようにしてもよい。
【図面の簡単な説明】
【００２７】
【図１】本願発明による竪樋用控金具の一実施形態を示す図で、（ａ）が平面図、（ｂ）が側面図、（ｃ）が（ａ）のＡ−Ａ線断面図、（ｄ）が（ｂ）のＢ−Ｂ線断面図、（ｅ）が（ｂ）のＣ−Ｃ線断面図である。
【図２】上記実施形態の竪樋用控金具に用いる出寸法調整部材を示す図で、（ａ）が側面図、(ｂ)が竪樋把持部側から見た図である。
【図３】軸回りの方向の回転位置が異なる出寸法調整部材の挿入先端面を示す図である。
【図４】出寸法調整部材の別の２例を竪樋把持部側から見た図である。
【符号の説明】
【００２８】
１１    竪樋用控金具
１２    竪樋把持部
１３    杆支持部
１４    出寸法調整部材
１７    枢着軸
１８    係合孔
１９    係合突起部
２０    杆固定具
２１、３０    挿通孔
２２    出寸法調整部材挿入部
２３    出寸法調整部材挿入空間
２５    第１の挿入規制部
２５’、２８’    挿入規制面
２７    第１の挿入空間
２８    第２の挿入規制部
２９    第２の挿入空間
３１    斜面部
３２    挿入先端面
Ｗ    壁面
【図１】
2006265968.tif 000003
【図２】
2006265968.tif 000004
【図３】
2006265968.tif 000005
【図４】
2006265968.tif 000006